(57)【特許請求の範囲】
【請求項１】
画像データに基づいた画像を投射するプロジェクタにて、投射する画像に含まれる彩色領域及び無彩色領域の内、無彩色領域の照度を増幅する方法において、
画像データに基づいて、画像に含まれる彩色領域内の画素及び無彩色領域内の画素を検出し、
検出した無彩色領域内の各画素について、最も近い彩色領域内の画素までの相対距離を求め、
求めた前記相対距離の大きさに基づいて、無彩色領域内の各画素を前記相対距離に応じた複数の種類に分類し、
画像に含まれる無彩色領域を、前記複数の種類に分類された画素からなる複数の部分に分割し、
分割した各部分での照度の増幅量を、各部分から彩色領域までの相対距離が小であるほど小となるように、前記複数の部分間で互いに異なる値に決定し、
決定した増幅量で画像に含まれる無彩色領域内の各部分での照度を増幅すること
を特徴とする照度増幅方法。
【請求項２】
画像データに基づいた画像を投射する手段と、該手段が投射する画像に含まれる彩色領域及び無彩色領域の内、無彩色領域の照度を増幅させる照度増幅手段とを備えるプロジェクタにおいて、
画像データに基づいて、画像に含まれる彩色領域内の画素及び無彩色領域内の画素を検出する手段と、
該手段が検出した無彩色領域内の各画素について、最も近い彩色領域内の画素までの相対距離を求める手段と、
該手段が求めた前記相対距離の大きさに基づいて、無彩色領域内の各画素を前記相対距離に応じた複数の種類に分類する手段と、
画像に含まれる無彩色領域を、前記複数の種類に分類された画素からなる複数の部分に分割する手段と、
該手段が分割した各部分で前記照度増幅手段が増幅させる照度の増幅量を、各部分から彩色領域までの相対距離が小であるほど小となるように、前記複数の部分間で互いに異なる値に決定する手段と
を備えることを特徴とするプロジェクタ。
【請求項３】
画像の明るさに対応する画像データの信号レベルを判定する手段と、
該手段が判定した前記信号レベルが予め定められた基準レベル未満である画像については、前記照度増幅手段が照度を増幅することを禁止する手段と
を更に備えることを特徴とする請求項２に記載のプロジェクタ。
【発明の詳細な説明】
【技術分野】
【０００１】
本発明は、プロジェクタで画像を投射する際に画像に含まれる無彩色領域の照度を増幅する照度増幅方法、及びプロジェクタに関する。
【背景技術】
【０００２】
プレゼンテーション又は映像の映写の分野では、画像データに基づいた画像を外部のスクリーン等に対して拡大投影するプロジェクタが用いられている。このようなプロジェクタは、液晶パネル又はＤＭＤ（Digital Micromirror Device）等の画像デバイスで光を透過又は反射させることにより画像を生成し、生成した画像を投射することで画像を表示する構成となっている。またこのようなプロジェクタがカラー画像を投影する方式には、Ｒ（赤）Ｇ（緑）Ｂ（青）各色用の画像デバイスを夫々備え、各色の画像を合成して投射する３板式と、単一の画像デバイスを備え、ＲＧＢ各色の画像を時分割で投射することによってカラー画像を投影する単板式とがある。単板式のプロジェクタは、複数の画像デバイスを備える３板式のプロジェクタに比べ、コストが低く、また小型化が容易であるというメリットがある。
【０００３】
単板式のプロジェクタは、白色光を発光する光源及び回転軸回りにＲＧＢ各色のフィルタに分割された円盤状のカラーホイールを備え、光源からの光を回転するカラーホイールに通過させてから画像デバイスへ照射することにより、ＲＧＢ各色の光を時分割で画像デバイスへ照射する。画像デバイスはカラーホイールの回転に同期して各色用の画像を生成し、各色の画像が時分割で投影される。プロジェクタが投影する画像を目視した利用者は、時分割で投影された各色の画像を合わせてカラー画像であると認識する。また、ＲＧＢ各色のフィルタ以外に白色光を透過させるＷのフィルタを更に加えたカラーホイールを用いることにより、画像の照度を向上させたプロジェクタも用いられている。
【０００４】
従来のプロジェクタには、画像をより明るくするために又はコントラストを向上させるために、画像に含まれる無彩色領域の照度を増幅させる所謂ホワイトブーストの機能を備えているものがある。図５は、画像に含まれる無彩色領域の照度を増幅する従来の例を示す模式図である。図５（ａ）は、色及び明暗を示す画素からなる彩色領域と、明暗のみを示す画素からなる無彩色領域とを含む画像を示す。図５（ｂ）は、画像内の照度分布を示し、横軸は彩色領域及び無彩色領域に含まれる各部分の画像内での位置を示し、縦軸は各部分での照度を示す。プロジェクタは、時分割で無彩色の画像を投射する際に、画像デバイスで光を透過又は反射させる時間の長さを他の色に比べて長くするか、又は光源の輝度を他の色に比べて明るくする等の方法により、無彩色領域の照度を増幅させる。図５（ｃ）は、照度を増幅した画像内の各部分での照度を示す。彩色領域に含まれる部分での照度が不変であるのに対して、無彩色領域に含まれる各部分での照度が上昇し、全体として画像がより明るくなっている。画像に含まれる無彩色領域の照度を増幅するための技術は、例えば特許文献１、特許文献２及び特許文献３に開示されている。
【特許文献１】特開平１０−７８５５０号公報
【特許文献２】特開２００４−５２６９９２号公報
【特許文献３】特開平１１−６９６９号公報
【発明の開示】
【発明が解決しようとする課題】
【０００５】
プロジェクタが画像に含まれる無彩色領域での照度を増幅した場合、前述の如く、画像に含まれる彩色領域の照度は変化せず、無彩色領域の照度が向上する。このとき、画像に含まれる彩色領域は、無彩色領域に比べて暗くなったように視覚的に感じられ、画像がくすんで鮮やかさが低下したように視覚的に感じられるという問題がある。また、この問題を回避しようとして、白色光等の本来彩色領域の各画素が持つ色成分とは異なった色成分の光を彩色領域に追加することによって彩色領域の照度をも向上させた場合は、彩色領域での彩度及び色相にずれが生じ、画像の色品位の低下を招いてしまうという問題がある。
【０００６】
本発明は、斯かる事情に鑑みてなされたものであって、その目的とするところは、画像に含まれる彩色領域の鮮やかさの低下、及び画像の色品位の低下を抑制しながら無彩色領域での照度を増幅することができる照度増幅方法、及びプロジェクタを提供することにある。
【課題を解決するための手段】
【０００７】
本発明に係る照度増幅方法は、画像データに基づいた画像を投射するプロジェクタにて、投射する画像に含まれる彩色領域及び無彩色領域の内、無彩色領域の照度を増幅する方法において、画像データに基づいて、画像に含まれる彩色領域内の画素及び無彩色領域内の画素を検出し、検出した無彩色領域内の各画素について、最も近い彩色領域内の画素までの相対距離を求め、求めた前記相対距離の大きさに基づいて、無彩色領域内の各画素を前記相対距離に応じた複数の種類に分類し、画像に含まれる無彩色領域を、前記複数の種類に分類された画素からなる複数の部分に分割し、分割した各部分での照度の増幅量を、各部分から彩色領域までの相対距離が小であるほど小となるように、前記複数の部分間で互いに異なる値に決定し、決定した増幅量で画像に含まれる無彩色領域内の各部分での照度を増幅することを特徴とする。
【０００８】
本発明に係るプロジェクタは、画像データに基づいた画像を投射する手段と、該手段が投射する画像に含まれる彩色領域及び無彩色領域の内、無彩色領域の照度を増幅させる照度増幅手段とを備えるプロジェクタにおいて、画像データに基づいて、画像に含まれる彩色領域内の画素及び無彩色領域内の画素を検出する手段と、該手段が検出した無彩色領域内の各画素について、最も近い彩色領域内の画素までの相対距離を求める手段と、該手段が求めた前記相対距離の大きさに基づいて、無彩色領域内の各画素を前記相対距離に応じた複数の種類に分類する手段と、画像に含まれる無彩色領域を、前記複数の種類に分類された画素からなる複数の部分に分割する手段と、該手段が分割した各部分で前記照度増幅手段が増幅させる照度の増幅量を、各部分から彩色領域までの相対距離が小であるほど小となるように、前記複数の部分間で互いに異なる値に決定する手段とを備えることを特徴とする。
【０００９】
本発明においては、彩色領域及び無彩色領域を含む画像を投射するプロジェクタで、無彩色領域の照度を増幅する際に、無彩色領域内の各部分から彩色領域までの相対距離に応じた増幅量で、無彩色領域内の各部分での照度を段階的に増幅する。
【００１１】
また本発明においては、プロジェクタが投射する画像に含まれる無彩色領域内の各画素から最も近い彩色領域内の画素までの相対距離に応じて、彩色領域までの相対距離が異なる複数の部分に無彩色領域を分割する。
【００１３】
また本発明においては、プロジェクタは、画像内で彩色領域までの距離が小であるほど照度の増幅量が小となるようにして無彩色領域の照度を段階的に増幅する。
【００１４】
本発明に係るプロジェクタは、画像の明るさに対応する画像データの信号レベルを判定する手段と、該手段が判定した前記信号レベルが予め定められた基準レベル未満である画像については、前記照度増幅手段が照度を増幅することを禁止する手段とを更に備えることを特徴とする。
【００１５】
更に本発明においては、プロジェクタは、画像の明るさに対応する画像データの信号レベルを判定し、信号レベルが基準レベルに達していない場合は、照度の増幅を禁止する。
【発明の効果】
【００１６】
本発明にあっては、彩色領域及び無彩色領域を含む画像を投射するプロジェクタで無彩色領域の照度を増幅する際に、彩色領域までの相対距離に応じた増幅量で無彩色領域内の各部分での照度を増幅することにより、彩色領域に近い部分の明るさを過剰にすることなく、画像全体を明るくすることできる。
【００１７】
また本発明にあっては、プロジェクタが投射する画像に含まれる無彩色領域内の各画素から最も近い彩色領域内の画素までの相対距離を求め、求めた相対距離に基づいて複数種類に分類した画素からなる複数の部分に無彩色領域を分割することにより、彩色領域までの相対距離が異なる複数の部分に無彩色領域を分割することができる。
【００１８】
また本発明にあっては、彩色領域からの相対距離が小であるほど照度の増幅量が小となるようにして無彩色領域の照度を増幅することによって、彩色領域の照度をも向上させる処理を行うことなく、彩色領域が回りに比べて暗くなったように視覚的に感じられてしまう状態を緩和し、彩色領域がくすんで鮮やかさが低下することを抑制することができる。従って、彩色領域の鮮やかさの低下及び画像の白品位の低下を抑制しながら、プロジェクタが投射する画像の明るさを向上させることが可能となる。
【００１９】
更に本発明にあっては、プロジェクタが投射する画像の明るさに対応する画像データの信号レベルが基準レベル以上の範囲で照度を増幅することにより、効果的に画像を明るくすることができる等、本発明は優れた効果を奏する。
【発明を実施するための最良の形態】
【００２０】
以下本発明をその実施の形態を示す図面に基づき具体的に説明する。
図１は、本発明のプロジェクタ１の内部構成を示すブロック図である。図中の白矢印は光を示す。プロジェクタ１は、白色光を放射するメタルハライドランプ等の光源１１と、光源１１からの光を通過させるカラーホイール１２と、反射光又は透過光でなる画像を生成する画像デバイス１３と、画像デバイス１３が生成した画像を拡大して外部へ投射する光学系１４とを備えている。カラーホイール１２は、円盤状に形成され、回転可能に構成されており、回転軸回りに夫々に固有の色の光を透過させる複数のフィルタを配してなっている。カラーホイール１２は、白色光の中からＲＧＢの各色の光を通過させるＲＧＢの３色のフィルタに白色光を通過させるＷのフィルタを加えたＲＧＢＷの４色のフィルタからなる。画像デバイス１３は、液晶パネル又はＤＭＤ等を用いてなり、ＲＧＢＷ各色の画像を時分割で生成する構成となっている。光学系１４は、投射レンズ、投射レンズの位置を調整するモータ、モータを駆動させるための駆動回路等からなる。
【００２１】
プロジェクタ１は、光源１１からの光をカラーホイール１２を通して画像デバイス１３へ照射し、画像デバイス１３が照射された光の反射光でなる画像を生成し、生成された画像を光学系１４を通して外部へ投射することによって、光でなる画像を外部スクリーン又は壁等へ投影する構成となっている。なお、光源１１からの光を画像デバイス１３上で反射させるのではなく通過させることで画像を生成する構成としてもよい。プロジェクタ１は、カラーホイール１２を構成する各色のフィルタを通した光で画像を生成して、時分割で各色の画像を投射することにより、カラー画像を投射する。またプロジェクタ１は、色づけられた彩色領域と色のない明暗からなる無彩色領域とが混合した画像、又は無彩色領域のみからなる画像を投射することも可能である。
【００２２】
またプロジェクタ１は、演算を行うプロセッサ、演算に必要なプログラム等の情報を記憶するＲＯＭ、及び一時的に発生した情報を記憶するＲＡＭ等からなる制御部２１を備えている。制御部２１は、プロジェクタ１全体の動作を制御する処理を行う。またプロジェクタ１は、カラーホイール１２を回転駆動させるモータ、及びカラーホイール１２の回転速度を制御する制御回路等からなるカラーホイール駆動部２２を備え、カラーホイール駆動部２２は制御部２１に接続されている。また画像デバイス１３には、画像デバイス１３に必要な画像を形成させる処理を行う画像デバイス駆動回路２３が接続されており、画像デバイス駆動回路２３は制御部２１に接続されている。制御部２１は、画像データに基づいた画像を外部へ投射できるように、カラーホイール駆動部２２の動作を制御してカラーホイール１２を適切に駆動させ、画像デバイス駆動回路２３の動作を制御して画像デバイス１３に適切な画像を形成させる処理を行う構成となっている。
【００２３】
またプロジェクタ１は、パーソナルコンピュータ（ＰＣ）又は映像再生装置等の外部の装置から送信される画像データを受信する受信部２５を備えている。また受信部２５は、画像の明るさに対応する画像データの信号レベルを検出し、更に画像データに無彩色の画素に対応するデータが含まれているか否かを判定する信号レベル検出部２４に接続されている。信号レベル検出部２４は、制御部２１に接続されており、受信部２５が受信した画像データを制御部２１へ入力すると共に、信号レベルの検出結果、及び無彩色の画素に対応するデータが含まれているか否かの判定結果を制御部２１へ入力する構成となっている。
【００２４】
また信号レベル検出部２４には、１フレーム分の画像を形成するための画像データから、１フレーム分の画像に含まれる彩色領域内の画素及び無彩色領域内の画素の情報を検出する画素検出部２８が接続されている。また画素検出部２８には、無彩色領域内の各画素について、最も近い彩色領域内の画素までの相対距離を求めることによって、無彩色領域内の各画素の彩色領域に対する画像内での相対的な位置を判定する位置判定部２７が接続されている。更に位置判定部２７には、位置判定部２７が求めた相対距離に基づいて無彩色領域内を複数の部分に分割する無彩色領域分割部２６が接続されている。無彩色領域分割部２６は、制御部２１に接続されている。
【００２５】
無彩色領域分割部２６は、連続した相対距離の値を所定の閾値を境にして分割した複数種類の相対距離の値の範囲を記憶しており、無彩色領域内の各画素から最も近い彩色領域内の画素までの相対距離がいずれの範囲に含まれるかに基づいて、無彩色領域内の画素を複数種類の画素に分類し、各種類の画素からなる部分に無彩色領域を分割する。無彩色領域分割部２６は、無彩色領域を分割した複数種類の各部分を示す情報を制御部２１へ入力する。このようにして、画素検出部２８、位置判定部２７及び無彩色領域分割部２６は、本発明に係る分割手段として機能する構成となっている。
【００２６】
制御部２１は、無彩色領域の各部分から彩色領域までの相対距離に対応して、照度の増幅量を設定しており、無彩色領域分割部２６が分割した無彩色領域内の各部分に対して、設定内容に従って、照度の増幅量を決定する。また制御部２１が記憶する照度の増幅量は、無彩色領域を分割した部分内の画素から最も近い彩色領域内の画素までの相対距離が小であるほど照度の増幅量が小となるように設定されてある。更に制御部２１は、カラーホイール駆動部２２及び画像デバイス駆動回路２３の動作を制御して、無彩色領域の各部分に対応する画像デバイス１３上の各部分でカラーホイール１２のＷのフィルタを通過した光を反射する時間の長さを、決定した照度の増幅量に応じて長くすることにより、画像に含まれる無彩色領域内の各部分での照度を増幅する。このようにして、制御部２１は、本発明に係る照度増幅手段及び増幅量決定手段として機能する構成となっている。
【００２７】
次に、以上の構成でなる本発明のプロジェクタ１が実行する照度増幅方法の内容を説明する。図２は、本発明のプロジェクタ１が無彩色領域の照度を増幅した画像を生成する処理の手順を示すフローチャートである。受信部２５は、画像を生成するための１フレーム分の画像データを受信する（Ｓ１）。信号レベル検出部２４は、受信部２５が受信した画像データに、無彩色の画素に対応するデータが含まれているか否かを判定する（Ｓ２）。画像データに無彩色の画素に対応するデータが含まれている場合は（Ｓ２：ＹＥＳ）、信号レベル検出部２４は、画像の明るさに対応する画像データの信号レベルが予め定められた基準レベル以上であるか否かを判定する（Ｓ３）。
【００２８】
ステップＳ２で画像データに無彩色の画素に対応するデータが含まれていない場合（Ｓ２：ＮＯ）、又はステップＳ３で画像の明るさに対応する画像データの信号レベルが基準レベル未満である場合は（Ｓ３：ＮＯ）、信号レベル検出部２４は判定結果を制御部２１へ入力し、制御部２１は、画像データに基づいてカラーホイール駆動部２２及び画像デバイス駆動回路２３を制御して、照度を増幅せずに画像デバイス１３に画像を生成させる（Ｓ１０）。プロジェクタ１は、生成した画像を投射して、１フレーム分の画像を生成する処理を終了し、受信部２５が次の１フレーム分の画像データを受信する。
【００２９】
ステップＳ３で画像の明るさに対応する画像データの信号レベルが基準レベル以上である場合は（Ｓ３：ＹＥＳ）、画素検出部２８は、画像データから、画像データに基づいた画像に含まれる彩色領域内の画素及び無彩色領域内の画素の情報を検出する（Ｓ４）。次に、位置判定部２７は、画像に含まれる無彩色領域内の各画素について、当該画素から最も近い彩色領域内の画素までの相対距離を判定する（Ｓ５）。次に、無彩色領域分割部２６は、無彩色領域内の各画素から最も近い彩色領域内の画素までの相対距離が、内部に記憶しているいずれの相対距離の値の範囲に含まれるかを判定することによって、最も近い彩色領域内の画素までの相対距離に応じて、無彩色領域内の画素を複数種類に分類し（Ｓ６）、複数種類の画素の夫々からなる複数の部分に無彩色領域を分割する（Ｓ７）。次に、制御部２１は、無彩色領域を分割した部分内の画素から最も近い彩色領域内の画素までの相対距離が小であるほど照度の増幅量が小となるように、無彩色領域を分割した各部分での照度の増幅量を決定する（Ｓ８）。
【００３０】
制御部２０９は、次に、無彩色領域の各部分に対応する画像デバイス１３上の各部分でカラーホイール１２のＷのフィルタを通過した光を反射する時間の長さが増幅量に応じて長くなるようにカラーホイール駆動部２２及び画像デバイス駆動回路２３の動作を制御し、決定した増幅量で無彩色領域内の各部分の照度を増幅することによって、彩色領域に近いほど小さくなる増幅量で無彩色領域内の照度を増幅した画像を画像デバイス１３に生成させる（Ｓ９）。プロジェクタ１は、このように無彩色領域の照度を増幅しながら画像を生成し、生成した画像を投射して、１フレーム分の画像を生成する処理を終了し、受信部２５が次の１フレーム分の画像データを受信する。
【００３１】
図３は、制御部２１が設定している照度の増幅量の例を示す模式的特性図である。図中には、画像に含まれる画素の明るさに対応する画像データの信号レベルに対する照度の値を示しており、横軸は信号レベルを示し、縦軸は照度を示している。照度の増幅を行わない場合の、信号レベルに対して単純増加する照度を実線で示している。増幅した照度の例を一点鎖線で示しており、増幅を行わない実線の場合よりも大きい変化で、信号レベルの増加に対して照度が増加している。また更に大きい増幅量で増幅した照度の例を破線で示している。照度の増幅は、信号レベルが基準レベル以上である範囲で行われている。画像データの信号レベルがある基準レベル以上の範囲で照度を増幅することにより、効果的に画像を明るくすることができる。制御部２１は、例えば、彩色領域に最も近い部分の照度は、実線に示す如く照度の増幅量を０とし、より彩色領域から遠い部分の照度の増幅量は一点鎖線に示す如き増幅量とし、更に彩色領域から遠い部分の照度の増幅量を破線に示す如き増幅量とすることによって、彩色領域までの相対距離が小であるほど無彩色領域内の各部分での照度の増幅量が小となるように設定している。
【００３２】
図４は、本発明の照度増幅方法を用いて照度を増幅した画像の例を示す模式図である。図４（ａ）は、彩色領域と無彩色領域とからなる画像を示し、無彩色領域を、彩色領域に最も近い第１部分、第２部分、及び彩色領域から最も遠い第３部分に分割した例を示す。図４（ｂ）は画像内の照度分布を示しており、横軸は画像内の位置を示し、縦軸は各位置での照度を示す。彩色領域に最も近い第１部分は、照度の増幅量が０となっており、彩色領域よりも暗い状態となっている。第１部分よりも彩色領域から遠い第２部分は、第１部分よりも照度が増幅されている。更に、第２部分よりも彩色領域から遠い第３部分は、第２部分よりも照度が増幅されている。このように、彩色領域からの相対距離が小であるほど照度の増幅量が小となるようにして無彩色領域の照度を増幅することによって、彩色領域の照度をも向上させる処理を行うことなく、彩色領域が回りに比べて暗くなったように視覚的に感じられてしまう状態を緩和し、彩色領域がくすんで鮮やかさが低下することを抑制することができる。従って、本発明を用いることにより、彩色領域の鮮やかさの低下及び画像の白品位の低下を抑制しながら、プロジェクタ１が投射する画像の明るさを向上させることが可能となる。
【００３３】
なお、本実施の形態においては、本発明のプロジェクタ１は、ＲＧＢＷの４色のフィルタからなるカラーホイール１２を備えた形態を示したが、これに限るものではなく、より多数のフィルタからなるカラーホイールを備えた形態であってもよく、ＲＧＢの３色のフィルタからなるカラーホイールを備えた形態であってもよい。プロジェクタ１がＲＧＢの３色のフィルタからなるカラーホイールを備えた形態である場合は、各フィルタの境界を通過した光をも用いて画像デバイス１３で画像を生成することにより、無彩色領域の照度を増幅することが可能である。
【００３４】
また本実施の形態においては、本発明の照度増幅方法として、画像データの信号レベルに対する照度の変化曲線を変更することによって照度を増幅する方法を用いる形態を示したが、本発明はこれに限るものではなく、無彩色領域を分割した各部分に対応する特定の増幅量で各部分での照度を一律に増幅する方法、又は無彩色領域を分割した各部分に対応する特定の増幅率で各部分での照度を増幅する方法を用いた形態であってもよい。また本実施の形態においては、本発明の照度増幅方法として、無彩色領域を複数の部分に分割しておいて各部分にて照度を増幅する方法を用いる形態を示したが、本発明はこれに限るものではなく、彩色領域までの相対距離と照度の増幅量をリニアに対応させる等の方法により、彩色領域に近いほど照度の増幅量が小さくなるようにしながら無彩色領域内の照度を連続的に増幅する方法を用いる形態であってもよい。
【００３５】
また本実施の形態においては、本発明のプロジェクタ１は、外部からの画像データを受信する形態を示したが、これに限るものではなく、アナログ又はデジタルのテレビジョン放送等の放送信号を受信して画像データを生成するチューナを内部に備えた形態であってもよい。またプロジェクタ１は、使用者の操作により各種の処理指示を入力される図示しない入力部を備え、入力部に入力される設定指示に従って制御部２１での設定内容及び制御内容を変更することができる形態であってもよい。
【００３６】
また本実施の形態においては、本発明のプロジェクタは、外部のスクリーン等へ画像を投射する形態を示しているが、これに限るものではなく、図示しない透過型のスクリーンを備え、スクリーンの背面から光学系１４で画像を投射することによってスクリーンに画像を投影するリアプロジェクション方式のプロジェクタであってもよい。
【図面の簡単な説明】
【００３７】
【図１】本発明のプロジェクタの内部構成を示すブロック図である。
【図２】本発明のプロジェクタが無彩色領域の照度を増幅した画像を生成する処理の手順を示すフローチャートである。
【図３】制御部が設定している照度の増幅量の例を示す模式的特性図である。
【図４】本発明の照度増幅方法を用いて照度を増幅した画像の例を示す模式図である。
【図５】画像に含まれる無彩色領域の照度を増幅する従来の例を示す模式図である。
【符号の説明】
【００３８】
１  プロジェクタ
１１  光源
１２  カラーホイール
１３  画像デバイス
２１  制御部
２４  信号レベル検出部
２６  無彩色領域分割部
２７  位置判定部
２８  画素検出部
【図１】
0004553803.tif 000002
【図２】
0004553803.tif 000003
【図３】
0004553803.tif 000004
【図４】
0004553803.tif 000005
【図５】
0004553803.tif 000006